(57)【特許請求の範囲】
【請求項１】
矩形状の背面板と、当該背面板の上端縁に順に折罫を介して連接された天面板と前面板と連結板と端縁に差込突片を有する蓋板を備え、前記背面板の両側端縁には折罫を介して折曲板が連接され、前記背面板の下端縁には折罫を介して底面板が連接され、前記底面板の左右の両端部にそれぞれ折罫を介して右枠板及び左枠板が連接され、端縁に係止片を備えた右側面板及び左側面板が前記右枠板及び前記左枠板の側端縁にそれぞれ折罫を介して連接され、前記背面板の両側端縁の前記折罫に沿って前記係止片を挿入する係止片用切目が形成されており、前記背面板には天面板側及び底面板側に前記差込突片を挿入する差込突片用切目が形成され、底面板と右枠板及び左枠板と右側面板及び左側面板をそれぞれ折り曲げて係止片を係止片用切目に挿入することにより、背面板の両側端縁及び下端縁に背面板に対して左側面板と右側面板と底面板とを垂直に立ち上げると共に、背面板に対向して左側面板と右側面板から左枠板と右枠板とが背面板と平行に内側を向くように組み立てることにより、その上側に上側開口部を備えると共にその前面側に右枠板及び左枠板に挟まれた前面側開口部を備える収納部を形成する構成からなり、収納時においては、背面板の上端縁に順に連接された天面板と前面板と連結板と差込突片を有する蓋板を収納部を巻くように折り曲げ、差込突片を背面板に形成された天面板側の差込突片用切目に差し込んで固定することにより、収納部の上側開口部を天面板で収納部の前面側開口部を前面板により完全に被覆し、使用時においては、背面板の上端縁に順に連接された天面板と前面板と連結板と差込突片を有する蓋板を収納部の裏面側に折り返して、天面板と連結板を角部にして蓋板を底面とし背面板と前面板が斜面となるように略三角形状に組み立てて、差込突片を背面板に形成された底面板側の差込突片用切目に差し込んで固定することにより、上側開口部と前面側開口部を開放した状態で収納部を背面板に沿って傾斜させて起立させることを特徴とするシート状物用ホルダー兼収納箱。
【発明の詳細な説明】
【０００１】
【発明の属する技術分野】
本発明は、シート状のカレンダー等を収納でき、且つ使用時に収納したカレンダー等を立てた状態で保持することのできる組み立て式のシート状物用ホルダー兼収納箱に関する。
【０００２】
【従来の技術】
従来、シート状のカレンダー等を収納して包装し、使用時に収納したカレンダー等を起立させた状態で保持することのできるシート状物用ホルダー兼収納箱としては、種々のプラスチック成形物が使用されていたが、プラスチック成形物はコスト高となる上に、使用済み品を廃棄する際に環境汚染の原因になるという欠点がある。
【０００３】
上記の欠点を改良した、シート状のカレンダー等を収納し、使用時に収納したカレンダー等を起立させた状態で保持できる構成のものとしては、例えば、特開２０００−２５５１９７号公報に記載されているような、立置物本体が正面部と背面部を含み、正面部の下端縁には支持片部が連続して設けられ、支持片部が立置物本体の正面部の下端縁から背面部の下側を通って水平に延びて立置物本体の底面を構成する設置面部分と、設置面部分から斜め上前方に延びる支持傾斜面部分とから構成され、支持傾斜面部分の先端側が立置物本体の背面部に支持され、立置物本体の背面部と支持片部の支持傾斜面部分及び設置面部分とが略三角形状の起立構造が構成される紙製立置物が知られている。しかしながら、この構成の紙製立置物では、内部にシート状のカレンダー等を収納するためには、正面部と背面部を糊貼りにより接着することが必要であるとともに、内部に収納したカレンダー等を完全に被覆した状態とすることができないために、そのままの状態で流通させることができないという欠点がある。
【０００４】
【発明が解決しようとする課題】
本発明は、ブランク板を折り曲げて組み立てるだけで、シート状のカレンダー等を収納して包装することができる収納箱を作製することが可能であり、使用時には内部に収納されているカレンダー等を起立させた状態で保持することができるシート状物用ホルダー兼収納箱を提供することである。
【０００５】
【課題を解決するための手段】
矩形状の背面板と、当該背面板の上端縁に順に折罫を介して連接された天面板と前面板と連結板と端縁に差込突片を有する蓋板を備え、前記背面板の両側端縁には折罫を介して折曲板が連接され、前記背面板の下端縁には折罫を介して底面板が連接され、前記底面板の左右の両端部にそれぞれ折罫を介して右枠板及び左枠板が連接され、端縁に係止片を備えた右側面板及び左側面板が前記右枠板及び前記左枠板の側端縁にそれぞれ折罫を介して連接され、前記背面板の両側端縁の前記折罫に沿って前記係止片を挿入する係止片用切目が形成されており、前記背面板には天面板側及び底面板側に前記差込突片を挿入する差込突片用切目が形成され、底面板と右枠板及び左枠板と右側面板及び左側面板をそれぞれ折り曲げて係止片を係止片用切目に挿入することにより、背面板の両側端縁及び下端縁に背面板に対して左側面板と右側面板と底面板とを垂直に立ち上げると共に、背面板に対向して左側面板と右側面板から左枠板と右枠板とが背面板と平行に内側を向くように組み立てることにより、その上側に上側開口部を備えると共にその前面側に右枠板及び左枠板に挟まれた前面側開口部を備える収納部を形成する構成からなり、収納時においては、背面板の上端縁に順に連接された天面板と前面板と連結板と差込突片を有する蓋板を収納部を巻くように折り曲げ、差込突片を背面板に形成された天面板側の差込突片用切目に差し込んで固定することにより、収納部の上側開口部を天面板で収納部の前面側開口部を前面板により完全に被覆し、使用時においては、背面板の上端縁に順に連接された天面板と前面板と連結板と差込突片を有する蓋板を収納部の裏面側に折り返して、天面板と連結板を角部にして蓋板を底面とし背面板と前面板が斜面となるように略三角形状に組み立てて、差込突片を背面板に形成された底面板側の差込突片用切目に差し込んで固定することにより、上側開口部と前面側開口部を開放した状態で収納部を背面板に沿って傾斜させて起立させることを特徴とする構成とすることにより、収納部にシート状カレンダー等の内容物を収納し、収納部の上部と左右の枠板に挟まれた前面部を、天面板と前面板により完全に被覆した状態で包装した収納箱とすることができるので、外装を必要とせずそのまま製品として取り扱うことができる。また、使用時には、収納箱の差込突片を差込突片用切目から外して、天面板と前面板と連結板と端縁に差込突片を有する蓋板を収納部の裏面側に折り返して、差込突片を背面板の差込突片用切目に差し込むことにより、蓋板を底辺とし背面板と前面板を斜辺とする３角形状に固定して起立させることができる。
【０００６】
上記のシート状物用ホルダー兼収納箱において、右枠板及び左枠板が底面板の左右の両端部にそれぞれ折罫を介して連接され、端縁に係止片を備えた右側面板及び左側面板が右枠板及び左枠板の側端縁にそれぞれ折罫を介して連接され、背面板の両側端縁には折罫を介して折曲板が連接され、前記折罫に沿って係止片を挿入する係止片用切目が形成され、底面板と右枠板及び左枠板と右側面板及び左側面板をそれぞれ折り曲げて係止片を係止片用切目に挿入することにより前記収納部を形成した構成とすることにより、糊貼りを必要とせずに、打ち抜きにより作製されたブランク板を折り曲げるだけで組み立てて収納箱を形成することができるので、収納箱を作製する工程をきわめて簡略化することができる。
【０００７】
【発明の実施の形態】
以下、図面を引用して本発明の実施の形態を説明する。図１は本発明のシート状物用ホルダー兼収納箱の実施形態の展開した平面図、図２は実施形態の収納部を組み立てた状態の斜視図、図３は実施形態の収納部に内容物を収納して包装した状態の斜視図、図４は実施形態の包装を解いて起立させるための組み立て途中の斜視図、図５は実施形態の組み立てが完了し起立させた状態の斜視図であって、１は蓋板、２は前面板、３は背面板、４は枠板、５は連結板、６は天面板、７は底面板、８は折曲板、９は側面板、１１，１２，１３，１４，１５，１６，１７，１８は折罫、２１は差込突片、２２，２３は係止片、３１，３２，３３，３４は差込突片用切目，３５，３６は係止片用切目をそれぞれ表す。
【０００８】
本発明のシート状物用ホルダー兼収納箱の実施形態の展開した平面図は、図１に示すとおりであって、蓋板１と連結板５と前面板２と天面板６と背面板３と底面板７と左右の枠板４とがそれぞれ折罫１１，１２，１３，１４，１５，１６を介して順に連接され、蓋板１の端縁には差込突片２１が連接され、背面板３の左右の側端縁には折罫１７を介して折曲板８がそれぞれ連接され、背面板３の中央の天面板６に近い位置に包装する際に差込突片２１を差し込むための円弧状の差込突片用切目３１及び差込突片用切目３２が形成されるとともに、背面板３の底面板７の近傍に使用時に起立させるために差込突片２１を差し込む、一定間隔をおいて互いに平行な直線状の差込突片用切目３３及び差込突片用切目３４が形成され、左右の枠板４の側端縁に折罫１８を介して端縁に係止片２２，２３が設けられた側面板９がそれぞれ連接された形状である。
【０００９】
図１に示す展開した状態から、背面板３の両側端縁の折曲片８を折罫１７にて折り曲げ、底面板７を折罫１５にて折り曲げ、左右の枠板４を折罫１６にて折り曲げるとともに枠板４に連接されている側面板９を折罫１８にてそれぞれ折り曲げて、背面板３の両端の折罫１７に沿って形成されている係止片用切目３５及び係止片用切目３６に、側面板９の端縁に設けられている係止片２２及び係止片２３をそれぞれ差し込んで固定することにより、背面板３と底面板７と折曲板８と側面板９と枠板４からなる収納部を形成して、図３に示す状態とする。
【００１０】
組み立てられた収納部にシート状カレンダー等の内容物を収納した後、収納部の前面側を覆うように天面板６と前面板２と蓋板１を折罫１４と折罫１３と折罫１２と折罫１１にて順に折り曲げて、差込突片２１を差込突片用切目３１及び差込突片用切目３２により形成された差し込み溝に差し込んで固定することより、収納部の上部が天面板６にて被覆されるとともに両側端部に枠板４が形成された収納部の前面側が前面板２にて被覆されて、収納部にシート状カレンダー等の内容物が収納されて包装が完了した図３に示す状態となる。この包装が完了した状態で収納部に収納された内容物が完全に被覆された状態となって保護されているので、外装を施さずにそのまま製品として使用することがてきる。
【００１１】
図３に示す収納箱を使用する際は、差込突片２１を差込突片用切目３１及び差込突片用切目３２により形成された差し込み溝から外し、図４に示すように、蓋板１と連結板５と前面板２と天面板６を背面板３の裏面側に巻くように折り曲げて、天面板６と連結板５を角部にして蓋板１を底辺とし背面板３と前面板２が斜辺となるように三角形状に組み立てて、差込突片２１を折り曲げて背面板３の底面板７近傍に形成されている差込突片用切目３４に外側から内側に通すとともに、更に差込突片用切目３３に内側から外側に通して差込突片２１を差込突片用切目３４及び差込突片用切目３３に差し込んで固定することにより、図５に示すように、３角形状に起立させた状態とすることができる。３角形状に起立させた状態で収納部に収納されているシート状カレンダー等の表面の印刷表示を両側端部の枠板４の間から見ることができるものである。
【００１２】
実施形態のシート状物用ホルダー兼収納箱を作製するための材料としては、白ボール、マニラボール、アイボリー、ポストカード等の板紙、着色板紙、樹脂含浸板紙等が使用できる。板紙の厚さとしては坪量が２５０〜５００ｇ／ｍ2 のものが適している。印刷効果を良くし外観を良くして意匠性を高めるために片面ないしは両面塗工した板紙を使用してもよいし、また、外面にプラスチック層を積層した構成としてもよい。
【００１３】
【発明の効果】
本発明のシート状物用ホルダー兼収納箱は、糊貼りによる製函を必要とせず、打ち抜きにより作製されたブランク板を折り曲げるだけで組み立てて作製することができるので、シート状物用ホルダー兼収納箱を作製する工程をきわめて簡略化してコストダウンを図ることが可能な構成であり、本発明のシート状物用ホルダー兼収納箱は、ブランク板を組み立てて形成した収納部にシート状のカレンダー等の内容物を収納して、収納部の上部及び左右に枠板を備えた前面側を完全に被覆した状態で包装して収納箱とすることができるので、外装を施す必要がなくそのまま製品として取り扱うことができ、且つ、使用時には、差込突片を差込突片用切目から外して、天面板と前面板と連結板と端縁に差込突片を有する蓋板を収納部の裏面側に折り返して、蓋板を底面とし収納部と前面板を斜辺とする３角形状に起立させることができるものである。
【図面の簡単な説明】
【図１】  本発明のシート状物用ホルダー兼収納箱の実施形態の展開した平面図。
【図２】  実施形態の収納部を組み立てた状態の斜視図。
【図３】  実施形態の収納部に内容物を収納して包装した状態の斜視図。
【図４】  実施形態の包装を解いて起立させるための組み立て途中の斜視図。
【図５】  実施形態の組み立てが完了し起立させた状態の斜視図。
【符号の説明】
１                                              蓋板
２                                              前面板
３                                              背面板
４                                              枠板
５                                              連結板
６                                              天面板
７                                              底面板
８                                              折曲板
９                                              側面板
１１，１２，１３，１４，１５，１６，１７，１８  折罫
２１                                            差込突片
２２，２３                                      係止片
３１，３２，３３，３４                          差込突片用切目
３５，３６                                      係止片用切目
【図１】
0004090730.tif 000002
【図２】
0004090730.tif 000003
【図３】
0004090730.tif 000004
【図４】
0004090730.tif 000005
【図５】
0004090730.tif 000006